(57)【要約】  第１のセルラー無線通信ネットワーク(RR1)に接続された第１のモバイル端末(T1ａ)を有するユーザの端末(T1)におけるオペレータ標識(IO)の表示を要求するために、オペレータ標識(IO)は、ユーザ端末(T1)にそれ自体の呼出番号が記憶されている第２のモバイル端末(T2)と関係付けられ、ユーザ端末(T1)から第１のネットワーク(RR1)のサーバ(SA、SO)に送信される。当該サーバは、送信された呼出番号に対応するオペレータ標識(IO)を読み出す(E3)ことができるような手法で、送信された呼出番号と、第１のリスト(L1)に含まれる第１のネットワークのモバイル端末に関する各呼出番号とを比較する。ＵＩＣＣカードの形をとるモジュール(MMJ、IA)は、上記の標識を記憶し、前記呼出番号が第１のネットワーク(RR1)に属するものであるのか、それとも別のネットワークに属するものであるのかを前記ユーザに知らせるために、当該標識を前記ユーザに送信する。【選択図】  図１
2008529431.tif 000002
【特許請求の範囲】
【請求項１】
第１のセルラー無線通信ネットワーク（ＲＲ１）に属する第１のモバイル端末（Ｔ１ａ）を有するユーザの端末（Ｔ１）において、前記ユーザ端末（Ｔ１）にそれ自体の呼出番号が記憶されている第２のモバイル端末（Ｔ２）に関するオペレータ標識（ＩＯ）を表示する方法であって、
前記呼出番号（ＮＡ）を前記ユーザ端末（Ｔ１）から前記第１のネットワーク（ＲＲ１）に属するサーバ手段（ＳＡ、ＳＯ）に送信（Ｅ１）するステップと、
前記サーバ手段（ＳＡ、ＳＯ）において、送信された前記呼出番号に対応する前記オペレータ標識（ＩＯ）を読み出す（Ｅ３）ために、送信された前記呼出番号（ＮＡ）と、前記第１のネットワークに属するモバイル端末の各呼出番号とを第１のリスト（Ｌ１）内で比較（Ｅ２）するステップと、
送信された前記呼出番号（ＮＡ）に関連する前記オペレータ標識（ＩＯ）を前記サーバ手段（ＳＡ、ＳＯ）から前記ユーザ端末（Ｔ１）に送信（Ｅ５）するステップと、
前記ユーザ端末において、送信された前記呼出番号に対応する送信された前記オペレータ標識を記憶（Ｅ６）し、前記オペレータ標識が第１の状態にある場合は、前記第１のネットワーク（ＲＲ１）の前記オペレータ標識（ＩＯ）を表示（Ｅ７）するステップと、
を含むことを特徴とする方法。
【請求項２】
前記サーバ手段（ＳＡ、ＳＯ）において、送信された前記呼出番号に対応する有効性標識（ＩＶ）を読み出すために、また、前記オペレータ標識（ＩＯ）及び送信された前記呼出番号（ＮＡ）に関連する前記有効性標識を前記ユーザ端末に送信（Ｅ５）するために、送信された前記呼出番号と、前記第１のネットワーク以外の少なくとも１つのセルラー無線通信ネットワーク（ＲＲ２）に属するモバイル端末の各呼出番号とを第２のリスト（Ｌ２）内で比較（Ｅ４）するステップと、前記ユーザ端末において、送信された前記呼出番号に対応する送信された前記有効性標識を記憶（Ｅ６）し、前記オペレータ標識及び前記有効性標識が第２の状態にある場合は、前記有効性標識（ＩＶ）を表示（Ｅ７）するステップと、を更に含む、請求項１に記載の方法。
【請求項３】
前記オペレータ標識が前記第１の状態にある場合には、前記オペレータ標識（ＩＯ）に対応するアイテムのデジタル・データ（ＤＮ）を生成（Ｆ１）し、前記有効性標識及び前記オペレータ標識が前記第２の状態にある場合には、前記有効性標識（ＩＶ）に対応するアイテムのデジタル・データ（ＤＮ）を生成（Ｆ１）するステップと、
前記デジタル・データ（ＤＮ）を、前記呼出番号、前記オペレータ標識、及び前記有効性標識と共に前記サーバ手段（ＳＡ、ＳＯ）から前記ユーザ端末（Ｔ１）に送信（Ｆ２）するステップと、
送信された前記呼出番号に対応する送信された前記デジタル・データ（ＤＮ）を前記ユーザ端末に記憶（Ｆ３）するステップと、
前記デジタル・データ（ＤＮ）を前記ユーザ端末における表示用に変換（Ｆ４）するステップと、
を更に含む、請求項２に記載の方法。
【請求項４】
第１のセルラー無線通信ネットワーク（ＲＲ１）に属する第１のモバイル端末（Ｔ１ａ）を有するユーザの端末（Ｔ１）において、前記ユーザ端末（Ｔ１）にそれ自体の呼出番号が記憶されている第２のモバイル端末（Ｔ２）に関するオペレータ標識（ＩＯ）を表示するシステムであって、
前記第１のネットワーク（ＲＲ１）に属するサーバ手段（ＳＡ、ＳＯ）であって、前記ユーザ端末（Ｔ１）から送信された前記呼出番号（ＮＡ）に対応する前記オペレータ標識（ＩＯ）を読み出すために、また、送信された前記呼出番号（ＮＡ）に関連する前記オペレータ標識（ＩＯ）を前記サーバ手段（ＳＡ、ＳＯ）から前記ユーザ端末に送信するために、送信された前記呼出番号（ＮＡ）と、前記第１のネットワークに属するモバイル端末の各呼出番号とを第１のリスト（Ｌ１）内で比較する前記サーバ手段（ＳＡ、ＳＯ）を備え、
前記ユーザ端末（Ｔ１）は、送信された前記呼出番号に対応する送信された前記オペレータ標識を記憶する手段（ＭＳＯ）と、前記オペレータ標識が第１の状態にある場合は、前記第１のネットワーク（ＲＲ１）の前記オペレータ標識（ＩＯ）を表示する手段（ＩＡ）とを含む、
ことを特徴とするシステム。
【請求項５】
前記サーバ手段は、送信された前記呼出番号に対応する有効性標識（ＩＶ）を読み出すために、また、前記オペレータ標識（ＩＯ）及び送信された前記呼出番号（ＮＡ）に関連する前記有効性標識を前記ユーザ端末に送信するために、送信された前記呼出番号と、前記第１のネットワーク以外の少なくとも１つのセルラー無線通信ネットワーク（ＲＲ２）に属するモバイル端末の各呼出番号とを第２のリスト（Ｌ２）内で比較する手段（ＳＯ）を更に含み、前記ユーザ端末（Ｔ１）は、送信された前記呼出番号に対応する送信された前記有効性標識を記憶する手段（ＭＳＶ）と、前記オペレータ標識及び前記有効性標識が第２の状態にある場合は、前記有効性標識（ＩＶ）を表示する手段（ＩＡ）とを更に含む、請求項４に記載のシステム。
【請求項６】
前記ユーザ端末（Ｔ１）は、前記第１のモバイル端末（Ｔ１ａ）と同一の端末である、請求項４又は５に記載のシステム。
【請求項７】
第１のセルラー無線通信ネットワーク（ＲＲ１）に属する第１のモバイル端末（Ｔ１ａ）を有するユーザの端末（Ｔ１）において、前記ユーザ端末（Ｔ１）にそれ自体の呼出番号が記憶されている第２のモバイル端末（Ｔ２）に関するオペレータ標識（ＩＯ）を表示する、マイクロコントローラを有する携帯型記録媒体（ＣＰ）であって、
前記呼出番号（ＮＡ）を前記ユーザ端末（Ｔ１）から前記第１のネットワーク（ＲＲ１）に属するサーバ手段（ＳＡ、ＳＯ）に送信する手段（ＭＭＪ）と、
前記サーバ手段から送信されたオペレータ標識（ＩＯ）であって、前記サーバ手段において、送信された前記呼出番号（ＮＡ）に対応する前記オペレータ標識を読み出すために、前記第１のネットワークに属するモバイル端末の各呼出番号と第１のリスト（Ｌ１）内で比較された、送信された前記呼出番号に関連する前記オペレータ標識（ＩＯ）を記憶する手段（ＭＳＯ）と、
前記オペレータ標識が第１の状態にある場合は、前記第１のネットワーク（ＲＲ１）の前記オペレータ標識（ＩＯ）を表示する手段（ＩＡ）と、
を含むことを特徴とする携帯型記録媒体（ＣＰ）。
【請求項８】
前記サーバ手段から送信された有効性標識であって、前記サーバ手段（ＳＡ、ＳＯ）において、送信された前記呼出番号に対応する有効性標識（ＩＶ）を読み出すために、また、前記オペレータ標識（ＩＯ）及び送信された前記呼出番号（ＮＡ）に関連する前記有効性標識を前記ユーザ端末に送信するために、前記第１のネットワーク以外のセルラー無線通信ネットワーク（ＲＲ２）に属するモバイル端末の各呼出番号と第２のリスト（Ｌ２）内で比較された、送信された前記呼出番号に関連する有効性標識を記憶する手段（ＭＳＶ）と、
前記オペレータ標識及び前記有効性標識が第２の状態にある場合は、前記有効性標識（ＩＶ）を表示する手段（ＩＡ）と、
を更に含む、請求項７に記載のマイクロコントローラを有する携帯型記録媒体。
【請求項９】
第１のセルラー無線通信ネットワーク（ＲＲ１）に属する第１のモバイル端末（Ｔ１ａ）を有するユーザの端末（Ｔ１）と通信する、マイクロコントローラを有する携帯型記録媒体（ＣＰ）への実装に適したコンピュータ・プログラムであって、前記ユーザ端末において、前記ユーザ端末（Ｔ１）にそれ自体の呼出番号が記憶されている第２のモバイル端末（Ｔ２）に関するオペレータ標識（ＩＯ）を表示するように設計され、前記プログラムが、前記プログラムを実行することによってそれ自体の動作が制御されることになるデバイスにロードされ、前記デバイス上で実行されたときに、
前記呼出番号（ＮＡ）を前記ユーザ端末（Ｔ１）から前記第１のネットワーク（ＲＲ１）に属するサーバ手段（ＳＡ、ＳＯ）に送信（Ｅ１）するステップと、
前記サーバ手段から送信されたオペレータ標識（ＩＯ）であって、前記サーバ手段において、送信された前記呼出番号に対応する前記オペレータ標識を読み出すために、前記第１のネットワークに属するモバイル端末の各呼出番号と第１のリスト（Ｌ１）内で比較された、送信された前記呼出番号に関連する前記オペレータ標識（ＩＯ）を記憶（Ｅ６）するステップと、
前記オペレータ標識が第１の状態にある場合は、前記第１のネットワーク（ＲＲ１）の前記オペレータ標識（ＩＯ）を表示（Ｅ７）するステップと、
を実行するプログラム命令を含むコンピュータ・プログラム。
【請求項１０】
前記サーバ手段から送信された有効性標識であって、前記サーバ手段において、送信された前記呼出番号に対応する前記有効性標識（ＩＶ）を読み出すために、また、前記オペレータ標識（ＩＯ）及び送信された前記呼出番号（ＮＡ）に関連する前記有効性標識を前記ユーザ端末に送信するために、前記第１のネットワーク以外のセルラー無線通信ネットワーク（ＲＲ２）に属するモバイル端末の各呼出番号と第２のリスト（Ｌ２）内で比較された、送信された前記呼出番号に関連する前記有効性標識を記憶（Ｅ６）するステップと、
前記オペレータ標識及び前記有効性標識が第２の状態にある場合は、前記有効性標識（ＩＶ）を表示（Ｅ７）するステップと、
を実行する前記プログラム命令を更に含む、請求項９に記載のコンピュータ・プログラム。
【発明の詳細な説明】
【技術分野】
【０００１】
本発明は、ユーザ端末において呼出番号のオペレータを示す標識（ｉｎｄｉｃａｔｏｒ）を表示する方法に関するものである。本発明は、当該呼出番号が有効なものかどうかを示す有効性標識の表示に関するものでもある。
【背景技術】
【０００２】
近年、セルラー無線通信ネットワークのオペレータがユーザに提供しようと努める情報及びサービス量は増加の一途を辿っている。発呼側ユーザに課される着呼側モバイル端末との通信コストは、当該着呼側端末の属するセルラー無線通信ネットワークに依存する。各ユーザがオペレータを変更する際にも同一の呼出番号を維持できるようにするオペレータ間のモバイル端末番号ポータビリティが推奨される場合にも、呼出番号に含まれる特定のネットワーク識別子を利用して着呼側端末の呼出番号に対応するネットワークを判定することによって通話コストを評価することは不可能である。
【発明の開示】
【発明が解決しようとする課題】
【０００３】
したがって、端末の呼出番号に関連するオペレータ標識であって、それを利用することにより、前記端末のユーザが前記呼出番号で指定される端末と通信すべきか否かを判断することができるようになるオペレータ標識が必要とされている。
【０００４】
上述の欠点に対処するために、本発明の一目的は、第１のセルラー無線通信ネットワークに属する第１のモバイル端末を有するユーザの端末において、前記第１のネットワークの加入者であるユーザがプリペイド・カードの加入者であるのかどうかを含めて、呼出番号が、前記第１のネットワークの加入者であるユーザによって所有される第２のモバイル端末を発呼対象として指定するものであるのかどうか、又は、前記ユーザが前記第１のネットワーク以外のセルラー無線通信ネットワークの加入者であるのかどうかを速やかに指示することにより、電話帳に関する新しいサービスを、前記第１のネットワークに属する第１のモバイル端末を有する前記ユーザに提供することである。
【課題を解決するための手段】
【０００５】
本目的を達成するために、第１のセルラー無線通信ネットワークに属する第１のモバイル端末を有するユーザの端末において、前記ユーザ端末にそれ自体の呼出番号が記憶されている第２のモバイル端末に関するオペレータ標識を表示する方法は、前記呼出番号を前記ユーザ端末から前記第１のネットワークに属するサーバ手段に送信するステップと、前記サーバ手段において、送信された前記呼出番号に対応する前記オペレータ標識を読み出すために、送信された前記呼出番号と、前記第１のネットワークに属するモバイル端末の各呼出番号とを第１のリスト内で比較するステップと、送信された前記呼出番号に関連する前記オペレータ標識を前記サーバ手段から前記ユーザ端末に送信するステップと、前記ユーザ端末において、送信された前記呼出番号に対応する送信された前記オペレータ標識を記憶し、前記オペレータ標識が第１の状態にある場合は、前記第１のネットワークの前記オペレータ標識を表示するステップと、を含むことを特徴とする。
【０００６】
前記方法はまた、前記サーバ手段において、送信された前記呼出番号に対応する有効性標識を読み出すために、また、前記オペレータ標識及び送信された前記呼出番号に関連する前記有効性標識を前記ユーザ端末に送信するために、送信された前記呼出番号と、前記第１のネットワーク以外の少なくとも１つのセルラー無線通信ネットワークに属するモバイル端末の各呼出番号とを第２のリスト内で比較することと、前記ユーザ端末において、送信された前記呼出番号に対応する送信された前記有効性標識を記憶し、前記オペレータ標識及び前記有効性標識が第２の状態にある場合は、前記有効性標識を表示することと、を可能にする。
【０００７】
本発明に係る前記方法が実装されたサービスに加入し、呼出番号のオペレータ標識を判定することにより、第１のユーザは、前記呼出番号で指定される別のユーザと通信すべきかどうかを、前記別のユーザが同じネットワークに属するかどうかに応じて判断することが可能となる。それ故、ユーザが未知のモバイル端末から呼び出された場合も、前記ユーザは、折り返し電話を掛けるコストを前記ユーザ主導で評価することができる。
【０００８】
更に、モバイル端末から利用可能なインスタント・メッセージング・サービスが進歩するに従って、ユーザは、様々なセルラー無線通信ネットワークに関する好みの価格に応じて呼を選択することができるようになる。
【０００９】
更に、本発明の標識表示サービス（ｉｎｄｉｃａｔｏｒ  ｐｒｅｓｅｎｔａｔｉｏｎ  ｓｅｒｖｉｃｅ）を利用すれば、呼出番号が無効になった場合にも、その旨を自動更新される標識を利用してユーザに警告することができるようになる。
【００１０】
本発明の別の特徴によれば、前記方法は更に、前記オペレータ標識が前記第１の状態にある場合には、前記オペレータ標識に対応するアイテムのデジタル・データを生成し、前記有効性標識及び前記オペレータ標識が前記第２の状態にある場合には、前記有効性標識に対応するアイテムのデジタル・データを生成するステップと、前記デジタル・データを、前記呼出番号、前記オペレータ標識、及び前記有効性標識と共に前記サーバ手段から前記ユーザ端末に送信するステップと、送信された前記呼出番号に対応する送信された前記デジタル・データを前記ユーザ端末に記憶するステップと、前記デジタル・データを前記ユーザ端末における表示用に変換するステップと、を含むことができる。
【００１１】
本発明は、第１のセルラー無線通信ネットワークに属する第１のモバイル端末を有するユーザの端末において、前記ユーザ端末にそれ自体の呼出番号が記憶されている第２のモバイル端末に関するオペレータ標識を表示するシステムであって、前記第１のネットワークに属するサーバ手段であって、前記ユーザ端末から送信された前記呼出番号に対応する前記オペレータ標識を読み出すために、また、送信された前記呼出番号に関連する前記オペレータ標識を前記サーバ手段から前記ユーザ端末に送信するために、送信された前記呼出番号と、前記第１のネットワークに属するモバイル端末の各呼出番号とを第１のリスト内で比較する前記サーバ手段を備え、前記ユーザ端末は、送信された前記呼出番号に対応する送信された前記オペレータ標識を記憶する手段と、前記オペレータ標識が第１の状態にある場合は、前記第１のネットワークの前記オペレータ標識を表示する手段とを含む、ことを特徴とするシステムも提供する。
【００１２】
前記サーバ手段は更に、送信された前記呼出番号に対応する有効性標識を読み出すために、また、前記オペレータ標識及び送信された前記呼出番号に関連する前記有効性標識を前記ユーザ端末に送信するために、送信された前記呼出番号と、前記第１のネットワーク以外の少なくとも１つのセルラー無線通信ネットワークに属するモバイル端末の各呼出番号とを第２のリスト内で比較する手段を含むことができ、前記ユーザ端末は更に、送信された前記呼出番号に対応する送信された前記有効性標識を記憶する手段と、前記オペレータ標識及び前記有効性標識が第２の状態にある場合は、前記有効性標識を表示する手段とを含む。
【００１３】
本発明は、第１のセルラー無線通信ネットワークに属する第１のモバイル端末を有するユーザの端末において、前記ユーザ端末にそれ自体の呼出番号が記憶されている第２のモバイル端末に関するオペレータ標識を表示する、マイクロコントローラを有する携帯型記録媒体であって、前記呼出番号を前記ユーザ端末から前記第１のネットワークに属するサーバ手段に送信する手段と、前記サーバ手段から送信されたオペレータ標識であって、前記サーバ手段において、送信された前記呼出番号に対応する前記オペレータ標識を読み出すために、前記第１のネットワークに属するモバイル端末の各呼出番号と第１のリスト内で比較された、送信された前記呼出番号に関連する前記オペレータ標識を記憶する手段と、前記オペレータ標識が第１の状態にある場合は、前記第１のネットワークの前記オペレータ標識を表示する手段と、を含むことを特徴とする携帯型記録媒体も提供する。
【００１４】
前記マイクロコントローラを有する携帯型記録媒体は更に、前記サーバ手段から送信された有効性標識であって、前記サーバ手段において、送信された前記呼出番号に対応する有効性標識を読み出すために、また、前記オペレータ標識及び送信された前記呼出番号に関連する前記有効性標識を前記ユーザ端末に送信するために、前記第１のネットワーク以外のセルラー無線通信ネットワークに属するモバイル端末の各呼出番号と第２のリスト内で比較された、送信された前記呼出番号に関連する有効性標識を記憶する手段と、前記オペレータ標識及び前記有効性標識が第２の状態にある場合は、前記有効性標識を表示する手段と、を含むことができる。
【００１５】
本発明の他の特徴及び利点は、非限定的な例として以下に示す本発明の好ましい諸実施形態及び実装形態の説明を添付図面と併せて読めば、より明らかとなるだろう。
【発明を実施するための最良の形態】
【００１６】
図１を参照すると、本発明の標識表示システムは主に、オペレータ・サーバＳＯと、電話帳サーバＳＡと、第１のユーザの端末Ｔ１とを含む。
オペレータ・サーバＳＯは、本発明のサービス・エンティティとして、上記ユーザの所有する第１のモバイル端末Ｔ１ａが属する第１のセルラー無線通信ネットワークＲＲ１のオペレータによって管理される。オペレータ・サーバＳＯは、通常ネットワークＲＲ１の加入者である各ユーザの加入者プロファイルを含む、ネットワークＲＲ１内のホーム・ロケーション・レジスタ（ＨＬＲ）に接続することも当該ＨＬＲに組み込むこともできる。オペレータ・サーバ内のデータベースＢＤは、第１のネットワークＲＲ１に属するモバイル端末の各呼出番号に関する第１のリストＬ１と、第１のネットワークＲＲ１以外の少なくとも１つのセルラー無線通信ネットワークＲＲ２に属するモバイル端末の各呼出番号に関する第２のリストＬ２と、を含む。
【００１７】
第１のリストＬ１は、第１のネットワークＲＲ１の呼出番号と、論理的なオペレータ標識ＩＯとを関連付ける。当初、ユーザが第１のネットワークＲＲ１のオペレータに加入している場合には、当該ユーザの呼出番号に関連するオペレータ標識ＩＯは、第１の状態「１」にされる。
【００１８】
第２のリストＬ２は、第１のネットワークＲＲ１以外のネットワークＲＲ２の各呼出番号と、論理的な各有効性標識ＩＶとをそれぞれ関連付ける。当初、ユーザが第１のネットワークＲＲ１以外のネットワークのオペレータに加入している場合には、当該ユーザの呼出番号に関連する有効性標識ＩＶは、第１の状態「１」にされる。
【００１９】
呼出番号がどのユーザにも割り当てられていない場合には、当該呼出番号に対応するオペレータ標識及び有効性標識は、「０」の状態となる。当該オペレータ標識及び有効性標識は、ユーザが同じ呼出番号の加入権を再度取得しないことにより当該ユーザの加入権が廃止されたときは、「０」の状態に切り換わる。
【００２０】
データベースＢＤは、ユーザ端末Ｔ１からそれ自体の呼出番号ＮＡが送信される発呼対象となるモバイル端末Ｔ２のユーザが第１のネットワークＲＲ１の加入者であるのか、それとも、当該ユーザが別のネットワークＲＲ２の加入者であり、ネットワークＲＲ２内で有効な呼出番号に該当するのかを判定するために照会される。
セルラー無線通信ネットワークＲＲ２は、所定の区域をカバーする複数のセルラー無線通信ネットワークのいずれかに対応するものである。
【００２１】
簡略化のために、「ＭＳＩＳＤＮ」呼出番号（「ＭＳＩＳＤＮ」は移動局統合サービス・デジタル通信網番号（Ｍｏｂｉｌｅ  Ｓｔａｔｉｏｎ  Ｉｎｔｅｇｒａｔｅｄ  Ｓｅｒｖｉｃｅｓ  Ｄｉｇｉｔａｌ  Ｎｅｔｗｏｒｋ  ｎｕｍｂｅｒ）又は移動局国際加入者ディレクトリ番号（Ｍｏｂｉｌｅ  Ｓｔａｔｉｏｎ  Ｉｎｔｅｒｎａｔｉｏｎａｌ  Ｓｕｂｓｃｒｉｂｅｒ  Ｄｉｒｅｃｔｏｒｙ  Ｎｕｍｂｅｒ）の略）は、ユーザが当該ネットワークへの加入を済ませ、特に、それ自体の国際移動体加入者識別子（Ｉｎｔｅｒｎａｔｉｏｎａｌ  Ｍｏｂｉｌｅ  Ｓｕｂｓｃｒｉｂｅｒ  Ｉｄｅｎｔｉｔｙ：ＩＭＳＩ）の一定の論理アドレスが加入者ユーザに特有のフランスの「ＰＱ  ＭＣＤＵ」部分に対応する移動体加入者識別番号（Ｍｏｂｉｌｅ  Ｓｕｂｓｃｒｉｂｅｒ  Ｉｄｅｎｔｉｆｉｃａｔｉｏｎ  Ｎｕｍｂｅｒ：ＭＳＩＮ）を含む取り外し可能なユーザ・スマート・カードを有するモバイル端末を所有している限り、モバイル端末の移動先に関わらず、また、モバイル端末にスマート・カードが収容されているかどうかに関わらず、セルラー無線通信ネットワークに「所属」するものと見なされる。この場合、ユーザのモバイル端末はセルラー無線通信ネットワークに「属する」ものと見なされる。
【００２２】
電話帳サーバＳＡは、任意のモバイル端末又は固定端末（固定電話）からインターネットのような電気通信ネットワークＲＴを介してアクセス可能なプラットフォームである。電話帳サーバＳＡとユーザ端末Ｔ１は、例えばショート・メッセージ・サービス・センタ（ＳＭＳＣ）を介して、要求及び応答をショート・メッセージ（テキスト・メッセージ）の形で交換することができる。電話帳サーバＳＡは、例えば情報をオペレータ・サーバＳＯからユーザ端末Ｔ１に送信するために、インターネットを介して、又はネットワークＲＲ１のオペレータに特有のシグナリング・ネットワークを介して、オペレータ・サーバＳＯと直接又は間接的に通信するためのアクセス・ゲートウェイを有する。
【００２３】
一変形形態では、オペレータのデータベースのデータは、複数のオペレータ・サーバと接続されている複数のデータベースに分配される。特に、リストＬ２は、オペレータ・サーバ内に所在する第２のセルラー無線通信ネットワークＲＲ２に属するモバイル端末の各呼出番号に関するリストに細分化することができ、各リストは、それぞれオペレータによって更新することができる。
【００２４】
図１に示される好ましい実施形態では、図面が見づらくなるのを防ぐために、第１のユーザがそれらを介して電話帳サーバＳＡと通信することができるようになる３つの端末Ｔ１ａ、Ｔ１ｂ、Ｔ１ｃだけが示されている。これらの３つの端末Ｔ１ａ、Ｔ１ｂ、Ｔ１ｃは、以下の説明ではＴ１と総称する。ユーザ端末Ｔ１は、各アクセス・ネットワークとリンクＬＴ１を介して接続されている。
【００２５】
端末Ｔ１は、好ましくは第１のモバイル端末Ｔ１ａであり、リンクＬＴ１は、無線通信チャネルであり、各アクセス・ネットワークＲＡは、セルラー無線通信ネットワーク・タイプの固定網、例えば汎用パケット無線サービス（ＧＰＲＳ）を伴うグローバル・モバイル通信システム（ＧＳＭ）タイプ又はユニバーサル移動電話システム（ＵＭＴＳ）タイプの固定網を含む。
同様に、発呼対象となるモバイル端末Ｔ２と、各セルラー無線通信ネットワークＲＲ２とは、無線リンクＬＴ２を介して相互接続されている。
【００２６】
別の例において、ユーザ端末Ｔ１は、対応するアクセス・ネットワークＲＡと接続された様々なタイプのデジタル加入者線（ｘＤＳＬ）のうちの１つのタイプ又は統合サービス・デジタル通信網（ＩＳＤＮ）タイプのリンクＬＴ１と接続されているパーソナル・コンピュータ（ＰＣ）又はインテリジェント端末Ｔ１ｂである。
【００２７】
別の例において、ユーザ端末Ｔ１は、例えばスマート・カードを読み取ることができ、無線ローカル・エリア・ネットワーク（ＷＬＡＮ）タイプ又は８０２．１Ｘｘ規格の１つに準拠するタイプの短距離無線ネットワークにおける端末、或いはＷｉＭＡＸ（Ｗｏｒｌｄｗｉｄｅ  Ｉｎｔｅｒｏｐｅｒａｂｉｌｉｔｙ  Ｍｉｃｒｏｗａｖｅ  Ａｃｃｅｓｓ：マイクロ波アクセスの国際的な相互運用性）プロトコルに準拠する中距離無線ネットワークにおける端末と接続することができる携帯情報端末（ＰＤＡ）Ｔ１ｃと通信可能なパーソナル・テレコミュニケーション電子オブジェクト又はデバイスを含む。
別の例において、アクセス・ネットワークＲＡは、複数のユーザ端末を相互接続するネットワークを含む。
【００２８】
ユーザ端末Ｔ１及びアクセス・ネットワークＲＡは、上記の例に限定されるものではなく、他の既知の端末及び他の既知のアクセス・ネットワークで構成されてもよい。
ユーザ端末Ｔ１は従来、プロセッサ、メモリ、通信インターフェイス、ディスプレイ、キーバッド又はキーボード、及びスマート・カード・リーダを備え、特に、本発明に関しては、電話帳ＡＮ、オペレータ・ステータス・メモリＭＳＯ、有効性ステータス・メモリＭＳＶ、電話帳インタープリタＩＡ、及び更新モジュールＭＭＪを備える。電話帳ＡＮならびにメモリＭＳＯ及びＭＳＶは、端末Ｔ１内の不揮発性メモリ空間に含まれる。
【００２９】
電話帳ＡＮは、端末Ｔ１の発呼対象又は照会対象となる呼出番号ＮＡをリスト化したものである。
オペレータ・ステータス・メモリＭＳＯは、呼出番号ＮＡに関する標識ＩＯを記憶する不揮発性メモリ空間であり、各標識ＩＯはそれぞれ、各呼出番号が第１のネットワークＲＲ１に所属するものであるかどうかを指示する。
【００３０】
有効性ステータス・メモリＭＳＶは、呼出番号ＮＡに関する標識ＩＶを記憶する不揮発性メモリ空間であり、各標識ＩＶはそれぞれ、各呼出番号が第１のネットワークＲＲ１以外のセルラー無線通信ネットワークＲＲ２内で有効な呼出番号であるかどうかを指示する。
上述のメモリＭＳＯ及びＭＳＶは、端末Ｔ１から接触によって又は非接触形式でアクセス可能な不揮発性メモリとすることができ、且つ／又は電話帳ＡＮに含まれる不揮発性メモリとすることができる。
【００３１】
電話帳インタープリタＩＡは、電話帳ＡＮに記憶されている呼出番号ＮＡ、ならびにメモリＭＳＯ及びＭＳＶ内の標識ＩＯ及びＩＶにアクセスして、それらを端末Ｔ１のディスプレイを介してユーザに表示するユーザ・インターフェイス・アプリケーションである。インタープリタＩＡは、好ましくは汎用集積回路カード（ＵＩＣＣ）アプリケーションであり、別の例では端末Ｔ１内に実装され、例えば端末Ｔ１内のユーザ・グラフィックス・インターフェイスに組み込まれる。
【００３２】
更新モジュールＭＭＪは、電話帳サーバＳＡと通信し、電話帳サーバＳＡから送信された標識ＩＯ及びＩＶをメモリＭＳＯ及びＭＳＶに記憶することによってそれらの各メモリを更新するアプリケーションである。電話帳ＡＮへの新しい呼出番号の記録は、既に記憶されている呼出番号の修正を含めて、周期的に或いはユーザ又はネットワークからの要求に応じてモジュールＭＭＪによって検出される。モジュールＭＭＪは、好ましくはＵＩＣＣアプリケーションであるが、別の変形形態では端末Ｔ１内に実装される。
【００３３】
図２に示されるユーザ端末の好ましい一変形形態において、ユーザ端末は、端末から接触によって又は非接触形式で動作し、又は例えば赤外線タイプの通信手段を介して実際にアクセス可能な、「マイクロコントローラ・カード」又は「集積回路カード」とも呼ばれる取り外し可能なスマート・カードＣＰのような記録媒体を収容する。
【００３４】
端末Ｔ１がモバイル端末Ｔ１ａ、Ｔ１ｃである場合、スマート・カードはＵＩＣＣタイプとなる。例えば、スマート・カードは、ＧＳＭ又はＧＰＲＳタイプのセルラー無線通信ネットワーク向けの加入者識別モジュール（ＳＩＭ）カード、又は、第３世代（第３世代パートナーシップ・プロジェクト（３ＧＰＰ））ＵＭＴＳタイプ又は３ＧＰＰ２／第３世代ＣＤＭＡ２０００タイプの符号分割多元接続（ＣＤＭＡ）ネットワーク向けのユーザＳＩＭ（ＵＳＩＭ）又は取り外し可能なユーザ識別子モジュール（ＲＵＩＭ）である。
【００３５】
他の例において、スマート・カードは、ユニバーサル・シリアル・バス（ＵＳＢ）キーであっても、セキュア・デジタル・カード（ＳＤＣ）やマルチ・メディア・カード（ＭＭＣ）のようなフラッシュ・メモリ・カード（ＦＭＣ）であってもよく、また、任意の取り外し可能なマイクロコントローラを有する携帯型記録媒体で置き換えることもでき、例えば端末から赤外線タイプの通信手段を介して実際にアクセス可能なものとすることもできる。
【００３６】
周知のように、スマート・カードＣＰは主に、プロセッサＰＲと、３つのメモリＭＣ１〜ＭＣ３と、モバイル端末との間でコマンド及び応答を交換するためにモバイル端末のリーダと接続可能な入力／出力ポートと、を備える。メモリＭＣ１は、読取り専用メモリ（ＲＯＭ）タイプ又はフラッシュ・タイプのメモリであり、カード用のオペレーティング・システムを含み、また、多くの場合当該オペレーティング・システムの基盤となるＪａｖａ（登録商標）Ｃａｒｄタイプの仮想マシンも含む。メモリＭＣ２は、例えば電気的消去及びプログラム可能な読取り専用メモリ（ＥＥＰＲＯＭ）タイプ又はフラッシュ・タイプの不揮発性メモリであり、特に、カードを所有するユーザのプロファイルの特徴又は電話帳内の呼出番号を記憶するメモリである。メモリＭＣ３は、ランダム・アクセス・メモリ（ＲＡＭ）又はスタティックＲＡＭ（ＳＲＡＭ）であり、より具体的には、モバイル端末Ｔ１ａに含まれるプロセッサＰＲとマイクロコントローラとの間のデータ交換を処理する働きをするメモリである。
【００３７】
本変形形態において、更新モジュールＭＭＪ及び電話帳インタープリタＩＡは、スマート・カードＣＰのプロセッサＰＲにハードウェア実装（ｈａｒｄ−ｉｍｐｌｅｍｅｎｔｅｄ）され、又は当該プロセッサＰＲと通信するものである。一変形形態において、更新モジュールＭＭＪ及び電話帳インタープリタＩＡは、ＲＯＭ  ＭＣ１にソフトウェアの形で含まれるものである。カードＣＰのプロセッサＰＲは、端末Ｔ１ａに関して上述したオペレータ標識を表示する本発明に係る方法に関する大部分のステップを実行する。上記のカードにおける不揮発性メモリＭＣ２内の２つの空間はそれぞれ、図１に示される第１の実施形態に係る端末のメモリＭＳＯ及びＭＳＶ用に予約されるものであり、標識ＩＯ及びＩＶの記憶専用である。上記のカードの不揮発性メモリＭＣ２内の第３の空間は、電話帳ＡＮ用に予約されるものである。
【００３８】
図３に示される第１の実装形態において、ユーザ端末Ｔ１においてオペレータ標識を表示する方法は、本発明のオペレータ標識表示システム内で実行されるステップＥ１〜Ｅ７を含む。
【００３９】
ステップＥ１において、更新モジュールＭＭＪは、以下の予備ステップを実行する。まず、モジュールＭＭＪは、それ自体に関連するユーザ端末Ｔ１の通信インターフェイスを介した電話帳サーバＳＡとの通信セット・アップを要求する。この通信は、ユーザ主導で要求することも、少なくとも１つの新しい呼出番号がその間に電話帳ＡＮに記録される呼出番号監視期間毎に自動的に要求することも、サーバＳＡ又は他の任意のサーバのオペレータ主導で自動的に要求することも、例えば呼のセット・アップに先立つ呼出手順の開始時にシステム的に要求することもできる。一方、当該通信は、例えばユーザによって新しい呼出番号がダイヤルされ電話帳ＡＮに記録されたことをモジュールＭＭＪが検出した時点で自動的に要求することもできる。次に、モジュールＭＭＪは、例えば従来呼出番号ＮＡに関連するユーザの名前に対応する電話帳ＡＮ内のエントリとして、ＭＳＩＳＤＮ（移動局国際加入者ディレクトリ番号）と同一の呼出番号ＮＡを電話帳ＡＮから読み出す。次に、モジュールＭＭＪは呼出番号ＮＡを電話帳サーバＳＡに送信し、その後、当該呼出番号はオペレータ・サーバＳＯに向けて送信される。
【００４０】
ステップＥ２において、呼出番号ＮＡの送信に応じて、オペレータ・サーバＳＯは、送信された前記呼出番号と、第１のネットワークＲＲ１に属するモバイル端末Ｔ２に対応する各呼出番号とを第１のリストＬ１内で比較する。
送信された呼出番号が第１のリストＬ１に含まれる場合には、ステップＥ３で、オペレータ・サーバＳＯは、送信された呼出番号ＮＡに関連するオペレータ標識ＩＯの状態を読み出す。
【００４１】
オペレータ標識ＩＯが「０」の状態にある場合には、ステップＥ４で、オペレータ・サーバＳＯは、送信された前記呼出番号ＮＡと、第１のネットワークＲＲ１以外のネットワークＲＲ２に属するモバイル端末Ｔ２に対応する各呼出番号とを第２のリストＬ２内で比較する。送信された呼出番号が第２のリストＬ２に含まれる場合には、オペレータ・サーバＳＯは、送信された呼出番号ＮＡに対応する有効性標識ＩＶを読み出す。
【００４２】
ステップＥ３で、オペレータ標識ＩＯが「１」の状態にある場合には、第２のリスト内での比較を実施する必要はなく、有効性標識ＩＶは自動的に「０」の値をとることになる。それ故、オペレータ標識ＩＯが第１の状態「１」にあるときは、有効性標識ＩＶは第２の状態「０」になることになるが、オペレータ標識ＩＯが第２の状態「０」にあるときは、有効性標識ＩＶは第１の状態「１」にあることも第２の状態「０」にあることもある。モバイル端末Ｔ２は、第１のネットワークＲＲ１とネットワークＲＲ２のいずれかに属することになる。オペレータ標識ＩＯ及び有効性標識ＩＶが第２の状態にあるときは、モバイル端末Ｔ２は、いかなるセルラー無線通信ネットワークにも属さず、対応する呼出番号は無効なものとなる。
【００４３】
ステップＥ５で、オペレータ・サーバＳＯは、呼出番号ＮＡに関連するオペレータ標識ＩＯ及び有効性標識ＩＶを電話帳サーバＳＡに送信し、電話帳サーバＳＡは、それらを端末Ｔ１の更新モジュールＭＭＪに向けて送信する。
【００４４】
ステップＥ６で、更新モジュールＭＭＪは、送信された呼出番号ＮＡに対応する電話帳サーバから送信されたオペレータ標識ＩＯ及び有効性標識ＩＶを、それぞれオペレータ・ステータス・メモリＭＳＯ及び有効性ステータス・メモリＭＳＶに書き込む。
【００４５】
ステップＥ７で、電話帳インタープリタＩＡは、ユーザが呼出番号の読み出し機能を使用するたびに、又は呼出番号ＮＡの割当て先となるユーザの名前等のパラメータの読み出し機能を使用するたびに、オペレータ標識ＩＯ又は有効性標識ＩＶの表示を端末Ｔ１のディスプレイ上に生成する。この目的で、電話帳インタープリタＩＡは、呼出番号ＮＡに対応する電話帳ＡＮ内のエントリ、ならびに、それぞれオペレータ・ステータス・メモリＭＳＯ及び有効性ステータス・メモリＭＳＶ内に所在するオペレータ標識ＩＯ及び有効性標識ＩＶに対応する電話帳ＡＮ内のエントリを分析する。次に、オペレータ標識ＩＯが第１の状態「１」にある場合には、電話帳インタープリタＩＡは、端末Ｔ１の電話帳ＡＮに記憶されている呼出番号ＮＡが第１のネットワークＲＲ１に所属するものであることをユーザに知らせるために、標識ＩＯをユーザに表示する。一方、オペレータ標識ＩＯ及び有効性標識ＩＶが第２の状態「０」にある場合には、電話帳インタープリタＩＡは、例えば「非割当て番号（ｎｕｍｂｅｒ  ｕｎａｌｌｏｃａｔｅｄ）」や「無効番号（ｎｕｍｂｅｒ  ｕｎａｔｔａｉｎａｂｌｅ）」等、当該呼出番号がどのセルラー無線通信ネットワークにも所属せず、それ故無効なものであることを指示する所定のサイン又は文字メッセージの形で標識ＩＶを表示する。この場合、インタープリタ及び／又は更新モジュールＭＭＪは、電話帳から非割当て呼出番号を削除するようユーザに提案することができる。オペレータ標識ＩＯが第２の状態「０」にあり、有効性標識ＩＶが第１の状態「１」にある場合には、電話帳インタープリタＩＡは、どのような標識も表示せず、これによって、呼出番号がネットワークＲＲ２に所属するものであることが示される。
【００４６】
標識ＩＯの状態「１」ならびに標識ＩＯ及びＩＶの各状態「０」の組合せは、インタープリタＩＡによって端末Ｔ１のディスプレイ上に表示される各アイコン又は色に変換され、且つ／又は端末Ｔ１のラウドスピーカから再生される各合成語に変換されることが好ましい。更に、当該表示は、ユーザが当該情報へのアクセスを個別設定したいと望んだときに任意選択で実行することも、特定のイベントが検出されたときに、例えば「加入権の期限切れ」又は「加入権の範囲外」を示す信号がネットワークから端末に送信されたときに自動的に実行することもできる。
一変形形態において、ユーザ端末Ｔ１は、第１のモバイル端末Ｔ１ａと同一であり、変換されたオペレータ標識及び有効性標識の表示は端末自体で行われる。
【００４７】
また、図４に示される第２の実装形態において、ユーザ端末Ｔ１は、本発明のオペレータ標識表示方法を補完するステップＦ１〜Ｆ４でオペレータ標識ＩＯ又は有効性標識ＩＶの表示を確立し、標識表示システムで自動的に実行されるアイテムのデジタル・データＤＮを、サーバ手段ＳＡ、ＳＯから受信する。
電話帳サーバＳＡは、オペレータ標識ＩＯ及び有効性標識ＩＶをオペレータ・サーバから受信し、先のステップＥ２〜Ｅ４で送信及び判定が行われた各標識を分析する。
【００４８】
ステップＦ１で、オペレータ標識ＩＯ及び有効性標識ＩＶを受信した電話帳サーバは、前記オペレータ標識が第１の状態「１」にある場合には、オペレータ標識ＩＯに対応するオペレータ標識の表示の確立に寄与するアイテムのデジタル・データＤＮを直接生成し、前記有効性標識及びオペレータ標識が第２の状態「０」にある場合には、有効性標識ＩＶに対応するオペレータ標識の表示の確立に寄与するアイテムのデジタル・データＤＮを直接生成する。
【００４９】
次に、ステップＥ５〜Ｅ７がステップＦ２〜Ｆ４で置き換えられる。ステップＦ２で、電話帳サーバＳＡは、デジタル・データＤＮを、呼出番号ＮＡならびにオペレータ標識ＩＯ及び有効性標識ＩＶと共に端末Ｔ１の更新モジュールＭＭＪに送信する。ステップＦ３で、更新モジュールＭＭＪは、オペレータ標識ＩＯ及び有効性標識ＩＶをメモリＭＳＯ及びＭＳＶに記憶すると同時に、デジタル・データＤＮを、送信された呼出番号ＮＡに対応する電話帳ＡＮに記憶する。ステップＦ４で、電話帳インタープリタＩＡは、電話帳サーバから送信されたデジタル・データＤＮのビジュアル変換及び／又はオーディオ変換に関連する呼出番号を、上述した各標識の表示手法と同様の手法で表示することができるように、呼出番号ＮＡに対応する電話帳ＡＮ内のエントリを直接分析する。
【００５０】
本明細書に記載の本発明は、特にユーザ端末Ｔ１に記憶されている各呼出番号に対応するオペレータ標識ＩＯを表示する方法及びシステムに関するものである。好ましい一実装形態において、本方法の各ステップは、第１のセルラー無線通信ネットワークＲＲ１に属する第１のモバイル端末Ｔ１ａを有するユーザの端末と通信する、ユーザの端末Ｔ１や、スマート・カードのようなマイクロコントローラを有する携帯型記録媒体等のデバイスに組み込まれたコンピュータ・プログラムであって、ユーザ端末において、ユーザ端末Ｔ１にそれ自体の呼出番号が記憶されている第２のモバイル端末Ｔ２に関するオペレータ標識ＩＯを表示するように設計されたコンピュータ・プログラムの命令によって判定される。当該プログラムは、前記プログラムを実行することによってそれ自体の動作が制御されることになるデバイスにロードされ、当該デバイス上で実行されたときに、本発明に係る標識表示方法の各ステップを実行するプログラム命令を含む。
【図面の簡単な説明】
【００５１】
【図１】ユーザ端末においてオペレータ標識を表示する本発明に係るシステムを示すブロック図である。
【図２】ユーザ端末においてオペレータ標識を表示する本発明に係るスマート・カードを示すブロック図である。
【図３】ユーザ端末においてオペレータ標識を表示する本発明の第１の実装形態に係る方法の主要なステップのアルゴリズムを示す図である。
【図４】ユーザ端末においてオペレータ標識を表示する本発明の第２の実装形態に係る方法の主要なステップのアルゴリズムを示す図である。
【図１】
2008529431.tif 000003
【図２】
2008529431.tif 000004
【図３】
2008529431.tif 000005
【図４】
2008529431.tif 000006
【国際調査報告】
2008529431.tif 000007
2008529431.tif 000008
2008529431.tif 000009
2008529431.tif 000010